【手続補正書】
【提出日】平成29年6月6日(2017.6.6)
【手続補正１】
【補正対象書類名】特許請求の範囲
【補正対象項目名】全文
【補正方法】変更
【補正の内容】
【特許請求の範囲】
【請求項１】
ワイヤレス通信においてデータをアグリゲートするための方法であって、
パケットコンバージェンスエンティティによって、ワイヤレスワイドエリアネットワーク（ＷＷＡＮ）リンクを備える第１の無線アクセス技術（ＲＡＴ）リンクおよびワイヤレスローカルエリアネットワーク（ＷＬＡＮ）リンクを備える第２のＲＡＴリンクとデータパケットを通信することと、
前記データパケットの各々が前記パケットコンバージェンスエンティティによって受信されるのが前記第１のＲＡＴリンクおよび前記第２のＲＡＴリンクのどちらであるかを、前記パケットコンバージェンスエンティティが識別するのを可能にするために、前記第１のＲＡＴリンクおよび前記第２のＲＡＴリンクの各々からインジケーションを受信することと、
前記パケットコンバージェンスエンティティにおいて、前記第１のＲＡＴリンクおよび前記第２のＲＡＴリンクからの前記インジケーションに基づいて、データパケットが前記第１のＲＡＴリンクから受信されたか、または前記第２のＲＡＴリンクから受信されたかを決定することと、
前記第１のＲＡＴリンクおよび前記第２のＲＡＴリンク上で受信された前記データパケットの各々のシーケンス番号値をモニタすることと、
前記第１のＲＡＴリンクおよび前記第２のＲＡＴリンク上で受信された前記データパケットの前記シーケンス番号値が順序外れであるかどうかを決定することと、
前記受信されたデータパケットの前記シーケンス番号値が順序外れであるとの前記決定に少なくとも部分的に基づいて１つまたは複数のアクションを実行することと、
前記第１のＲＡＴリンクおよび前記第２のＲＡＴリンクの一方または両方における１つまたは複数のイベントに応答してパケットステータス情報を交換することと
を備える、方法。
【請求項２】
前記パケットコンバージェンスエンティティが、パケットデータコンバージェンスプロトコル（ＰＤＣＰ）エンティティを備える、
請求項１に記載の方法。
【請求項３】
前記ＷＷＡＮリンクが、ロングタームエボリューション（ＬＴＥ）リンクまたはユニバーサルモバイルテレコミュニケーションシステム（ＵＭＴＳ）リンクを備え、
前記ＷＬＡＮリンクが、Ｗｉ−Ｆｉリンクを備える、
請求項２に記載の方法。
【請求項４】
前記１つまたは複数のアクションは、パケット再順序付けタイマーが現在作動中でないとき、および現在の受信されたパケットの前記シーケンス番号（ＳＮ）値が予期されるＳＮ値以下であるときに、前記パケットコンバージェンスエンティティによって上位層エンティティに前記データパケットのうちの現在の１つを送ることを備え、ここにおいて、前記予期されるＳＮ値が、前記上位層エンティティに配信されるデータパケットの最大のＳＮ値より１大きい、請求項１に記載の方法。
【請求項５】
前記１つまたは複数のアクションは、予期されるＳＮ値より大きいＳＮ値を有するデータパケットが前記パケットコンバージェンスエンティティによって受信されたときに、パケット再順序付けタイマーが作動中でない場合、前記パケット再順序付けタイマーを起動することを備え、ここにおいて、前記予期されるＳＮ値が、上位層エンティティに配信されるデータパケットの最大のＳＮ値より１大きい、請求項１に記載の方法。
【請求項６】
前記１つまたは複数のアクションは、所定の時間に到達したときに、前記パケット再順序付けタイマーを停止することを備える、請求項５に記載の方法。
【請求項７】
前記１つまたは複数のアクションは、前記第１のＲＡＴリンクおよび前記第２のＲＡＴリンクの両方がＳＮ値の昇順でデータパケットを配信するように構成されているとき、および各リンク上で受信された前記ＳＮのうちの最小値が、受信されたときにパケット再順序付けタイマーを起動したデータパケットのＳＮ値以上であるときに、前記パケット再順序付けタイマーを停止することを備える、請求項１に記載の方法。
【請求項８】
前記１つまたは複数のアクションは、前記パケットコンバージェンスエンティティによって受信された前記データパケットの少なくとも一部を上位層エンティティに送ることを備え、前記データパケットの前記少なくとも一部が、受信されたときに現在は停止されているパケット再順序付けタイマーを起動したデータパケットのＳＮ値より小さいＳＮ値を有するデータパケットを備える、請求項１に記載の方法。
【請求項９】
前記１つまたは複数のアクションは、前記パケットコンバージェンスエンティティによって受信された前記データパケットの少なくとも一部を上位層エンティティに送ることを備え、前記データパケットの前記少なくとも一部が、上限以下の、および受信されたときに現在は停止されているパケット再順序付けタイマーを起動したデータパケットのＳＮ値以上の、ＳＮ値を有するデータパケットを備える、請求項１に記載の方法。
【請求項１０】
前記上限が、
受信されたときに現在は停止されている前記パケット再順序付けタイマーを起動した前記データパケットの後でＳＮ値順に受信された前記データパケットの最大のＳＮ値、
受信されたときに現在は停止されている前記パケット再順序付けタイマーを起動した前記データパケットの後で受信された前記データパケットの最大のＳＮ値、および
受信されたときに現在は停止されている前記パケット再順序付けタイマーを起動した前記データパケットの後で前記第１のＲＡＴリンク上で受信された前記データパケットの最大のＳＮ値および前記第２のＲＡＴリンク上で受信された前記データパケットの最大のＳＮ値のうちの最小値
のうちの１つである、請求項９に記載の方法。
【請求項１１】
欠落しているものと決定された１つまたは複数のデータパケットの再送信を要求するために前記パケットコンバージェンスエンティティからパケットコンバージェンスエンティティステータス報告を送ることをさらに備える、請求項１に記載の方法。
【請求項１２】
前記パケットコンバージェンスエンティティからパケットコンバージェンスエンティティステータス報告を周期的に送ることをさらに備える、請求項１に記載の方法。
【請求項１３】
前記データパケットの送信機からステータス要求を受信することと、
前記ステータス要求に応答して、前記受信されたデータパケットに関する、および欠落しているものと決定されたデータパケットに関するパケットコンバージェンスエンティティステータス報告を送ることと
をさらに備える、請求項１に記載の方法。
【請求項１４】
ワイヤレス通信においてデータをアグリゲートするための装置であって、
パケットコンバージェンスエンティティによって、ワイヤレスワイドエリアネットワーク（ＷＷＡＮ）リンクを備える第１の無線アクセス技術（ＲＡＴ）リンクおよびワイヤレスローカルエリアネットワーク（ＷＬＡＮ）リンクを備える第２のＲＡＴリンクとデータパケットを通信するための手段と、
前記データパケットの各々が前記パケットコンバージェンスエンティティによって受信されるのが前記第１のＲＡＴリンクおよび前記第２のＲＡＴリンクのどちらであるかを、前記パケットコンバージェンスエンティティが識別するのを可能にするために、前記第１のＲＡＴリンクおよび前記第２のＲＡＴリンクの各々からインジケーションを受信するための手段と、
前記パケットコンバージェンスエンティティにおいて、前記第１のＲＡＴリンクおよび前記第２のＲＡＴリンクからの前記インジケーションに基づいて、データパケットが前記第１のＲＡＴリンクから受信されたか、または前記第２のＲＡＴリンクから受信されたかを決定するための手段と、
前記第１のＲＡＴリンクおよび前記第２のＲＡＴリンク上で受信された前記データパケットの各々のシーケンス番号値をモニタするための手段と、
前記第１のＲＡＴリンクおよび前記第２のＲＡＴリンク上で受信された前記データパケットの前記シーケンス番号値が順序外れであるかどうかを決定するための手段と、
前記受信されたデータパケットの前記シーケンス番号値が順序外れであるとの前記決定に少なくとも部分的に基づいて１つまたは複数のアクションを実行するための手段と、
前記第１のＲＡＴリンクおよび前記第２のＲＡＴリンクの一方または両方における１つまたは複数のイベントに応答してパケットステータス情報を交換するための手段と
を備える、装置。
【請求項１５】
ワイヤレス通信においてデータをアグリゲートするためのネットワークデバイスであって、
プロセッサと、
前記プロセッサに結合されたメモリと
を備え、前記メモリは、
パケットコンバージェンスエンティティによって、ワイヤレスワイドエリアネットワーク（ＷＷＡＮ）リンクを備える第１の無線アクセス技術（ＲＡＴ）リンクおよびワイヤレスローカルエリアネットワーク（ＷＬＡＮ）リンクを備える第２のＲＡＴリンクとデータパケットを通信することと、
前記データパケットの各々が前記パケットコンバージェンスエンティティによって受信されるのが前記第１のＲＡＴリンクおよび前記第２のＲＡＴリンクのどちらであるかを、前記パケットコンバージェンスエンティティが識別するのを可能にするために、前記第１のＲＡＴリンクおよび前記第２のＲＡＴリンクの各々からインジケーションを受信することと、
前記第１のＲＡＴリンクおよび前記第２のＲＡＴリンクからの前記インジケーションに基づいて、データパケットが前記第１のＲＡＴリンクから受信されたか、または前記第２のＲＡＴリンクから受信されたかを決定することと、
前記第１のＲＡＴリンクおよび前記第２のＲＡＴリンク上で受信された前記データパケットの各々のシーケンス番号値をモニタすることと、ここにおいて、前記モニタリング構成要素が、前記第１のＲＡＴリンクおよび前記第２のＲＡＴリンク上で受信された前記データパケットの前記シーケンス番号値が順序外れであるかどうかを決定するようにさらに構成される、
前記受信されたデータパケットの前記シーケンス番号値が順序外れであるとの前記決定に少なくとも部分的に基づいて１つまたは複数のアクションを実行することと、
第１のＲＡＴリンクおよび前記第２のＲＡＴリンクの一方または両方における１つまたは複数のイベントに応答してパケットステータス情報を交換することと
を行うように前記プロセッサによって実行可能な命令を含む、ネットワークデバイス。
【請求項１６】
前記パケットコンバージェンスエンティティが、パケットデータコンバージェンスプロトコル（ＰＤＣＰ）エンティティを備える、
請求項１５に記載のネットワークデバイス。
【請求項１７】
前記ＷＷＡＮリンクが、ロングタームエボリューション（ＬＴＥ）リンクまたはユニバーサルモバイルテレコミュニケーションシステム（ＵＭＴＳ）リンクを備え、
前記ＷＬＡＮリンクが、Ｗｉ−Ｆｉリンクを備える、
請求項１６に記載のネットワークデバイス。
【請求項１８】
パケット再順序付けタイマーをさらに備え、前記１つまたは複数のアクションは、前記パケット再順序付けタイマーが現在作動中でないとき、および現在の受信されたパケットの前記シーケンス番号（ＳＮ）値が予期されるＳＮ値以下であるときに、前記パケットコンバージェンスエンティティによって上位層エンティティに前記データパケットのうちの現在の１つを送ることを備え、ここにおいて、前記予期されるＳＮ値が、前記上位層エンティティに配信されるデータパケットの最大のＳＮ値より１大きい、請求項１５に記載のネットワークデバイス。
【請求項１９】
パケット再順序付けタイマーをさらに備え、前記１つまたは複数のアクションは、予期されるＳＮ値より大きいＳＮ値を有するデータパケットが前記パケットコンバージェンスエンティティによって受信されたときに、前記パケット再順序付けタイマーが作動中でない場合、前記パケット再順序付けタイマーを起動することを備え、ここにおいて、前記予期されるＳＮ値が、上位層エンティティに配信されるデータパケットの最大のＳＮ値より１大きい、請求項１５に記載のネットワークデバイス。
【請求項２０】
前記１つまたは複数のアクションは、所定の時間に到達したときに、前記パケット再順序付けタイマーを停止することを備える、請求項１９に記載のネットワークデバイス。
【請求項２１】
パケット再順序付けタイマーをさらに備え、前記１つまたは複数のアクションは、前記第１のＲＡＴリンクおよび前記第２のＲＡＴリンクの両方がＳＮ値の昇順でデータパケットを配信するように構成されているとき、および各リンク上で受信された前記ＳＮのうちの最小値が、受信されたときに前記パケット再順序付けタイマーを起動したデータパケットのＳＮ値以上であるときに、前記パケット再順序付けタイマーを停止することを備える、請求項１５に記載のネットワークデバイス。
【請求項２２】
パケット再順序付けタイマーをさらに備え、前記１つまたは複数のアクションは、前記パケットコンバージェンスエンティティによって受信された前記データパケットの少なくとも一部を上位層エンティティに送ることを備え、前記データパケットの前記少なくとも一部が、受信されたときに現在は停止されている前記パケット再順序付けタイマーを起動したデータパケットのＳＮ値より小さいＳＮ値を有するデータパケットを備える、請求項１５に記載のネットワークデバイス。
【請求項２３】
パケット再順序付けタイマーをさらに備え、前記１つまたは複数のアクションは、前記パケットコンバージェンスエンティティによって受信された前記データパケットの少なくとも一部を上位層エンティティに送ることを備え、前記データパケットの前記少なくとも一部が、上限以下の、および受信されたときに現在は停止されている前記パケット再順序付けタイマーを起動したデータパケットのＳＮ値以上の、ＳＮ値を有するデータパケットを備える、請求項１５に記載のネットワークデバイス。
【請求項２４】
前記上限が、
受信されたときに現在は停止されている前記パケット再順序付けタイマーを起動した前記データパケットの後でＳＮ値順に受信された前記データパケットの最大のＳＮ値、
受信されたときに現在は停止されている前記パケット再順序付けタイマーを起動した前記データパケットの後で受信された前記データパケットの最大のＳＮ値、および
受信されたときに現在は停止されている前記パケット再順序付けタイマーを起動した前記データパケットの後で前記第１のＲＡＴリンク上で受信された前記データパケットの最大のＳＮ値および前記第２のＲＡＴリンク上で受信された前記データパケットの最大のＳＮ値のうちの最小値
のうちの１つである、請求項２３に記載のネットワークデバイス。
【請求項２５】
ワイヤレス通信においてデータをアグリゲートするための方法であって、
ワイヤレスワイドエリアネットワーク（ＷＷＡＮ）リンクを備える第１の無線アクセス技術（ＲＡＴ）リンクおよびワイヤレスローカルエリアネットワーク（ＷＬＡＮ）リンクを備える第２のＲＡＴリンクを介してワイヤレス通信デバイスにデータパケットを送信することと、ここにおいて、前記データパケットの各々が、前記ワイヤレス通信デバイス内のパケットコンバージェンスエンティティにおけるパケットアグリゲーションに関して割り当てられたシーケンス番号（ＳＮ）値を有する、
送信された前記データパケットが前記第１のＲＡＴリンクおよび前記第２のＲＡＴリンクのどちらからのものであるかを、前記パケットコンバージェンスエンティティが識別するのを可能にするために、前記第１のＲＡＴリンクおよび前記第２のＲＡＴリンクの各々から前記ワイヤレス通信デバイスにインジケーションを送信することと、
前記インジケーションに基づいて、前記第１および第２のＲＡＴリンク上で、前記第１および第２のＲＡＴリンクの各々に対してバッファのアンダーフローおよびオーバーフローの一方または両方を防止するように構成されたフロー制御を実行することと
を備える、方法。
【請求項２６】
前記パケットコンバージェンスエンティティが、パケットデータコンバージェンスプロトコル（ＰＤＣＰ）エンティティを備える、
請求項２５に記載の方法。
【請求項２７】
前記ＷＷＡＮリンクが、ロングタームエボリューション（ＬＴＥ）リンクまたはユニバーサルモバイルテレコミュニケーションシステム（ＵＭＴＳ）リンクを備え、
前記ＷＬＡＮリンクが、Ｗｉ−Ｆｉリンクを備える、
請求項２６に記載の方法。
【請求項２８】
ＳＮ値の第１の正しい順序のシーケンスを前記第１のＲＡＴリンクを介して送信された前記データパケットに割り当てることと、ＳＮ値の第２の正しい順序のシーケンスを前記第２のＲＡＴリンクを介して送信された前記データパケットに割り当てることとをさらに備える、請求項２５に記載の方法。
【請求項２９】
データパケットが前記第１および第２のＲＡＴリンクのいずれかのうち順次配信を提供しているものから欠落していると前記パケットコンバージェンスエンティティが決定するとき、または前記第１および第２のＲＡＴリンクのいずれかにおける送信性能がしきい値より低いものと前記パケットコンバージェンスエンティティが決定するときに、前記パケットコンバージェンスエンティティからステータス報告要求を受信することと、
前記ステータス報告要求に応答して前記ワイヤレス通信デバイスにステータス報告を送信することと
をさらに備える、請求項２５に記載の方法。